(57)【要約】【課題】常に高品位な画像表示を行うことが可能な液晶表示装置を提供する。【解決手段】１フレーム期間内に、画像を表示する複数の画像表示期間と、画像を表示しない複数の画像非表示期間とが、互いに交互に設けられた第一の駆動方式により画像を表示する第一の駆動モードと、１フレーム期間内に、画像を表示する複数の画像表示期間が互いに連続して設けられると共に、画像を表示しない複数の画像非表示期間が互いに連続して設けられた第二の駆動方式により画像を表示する第二の駆動モードとを、互いに切り替え可能とし、例えば、液晶セルの温度が常温より低い場合には、第一の駆動モードで動作させ、常温以上の場合には、第二の駆動モードで動作させる。【選択図】図１
2015025927.tif 000002
【特許請求の範囲】
【請求項１】
液晶セルと、
当該液晶セルに光を供給する光源と、を備え、
前記液晶セルの光変調動作と前記光源の発光を互いに同期させたフィールドシーケンシャル方式により画像を表示する液晶表示装置であって、
１フレーム期間内に、画像を表示する複数の画像表示期間と、画像を表示しない複数の画像非表示期間とが、互いに交互に設けられた第一の駆動方式により画像を表示する第一の駆動モードと、
１フレーム期間内に、画像を表示する複数の画像表示期間が互いに連続して設けられると共に、画像を表示しない複数の画像非表示期間が互いに連続して設けられた第二の駆動方式により画像を表示する第二の駆動モードと、を備え
前記第一の駆動モードと前記第二の駆動モードが互いに切り替え可能とされている、
ことを特徴とする液晶表示装置。
【請求項２】
前記液晶セルの温度を検出する温度検出手段を備え、当該温度検出手段が検出した前記液晶セルの温度に基づいて、前記第一の駆動モードと前記第二の駆動モードが互いに切り替わる、ことを特徴とする請求項１に記載の液晶表示装置。
【請求項３】
前記液晶セルの温度が所定の温度よりも低い場合には、前記第一の駆動モードで動作し、前記液晶セルの温度が前記所定の温度以上の場合には、前記第二の駆動モードで動作する、ことを特徴とする請求項２に記載の液晶表示装置。
【請求項４】
前記第一の駆動モードが前記第二の駆動モードへ切り替わる第一の温度と、前記第二の駆動モードが前記第一の駆動モードへ切り替わる第二の温度は、互いに異なる、ことを特徴とする請求項２又は３に記載の液晶表示装置。
【請求項５】
前記第一の温度と前記第二の温度との差は、前記液晶セルの自己発熱による前記液晶セルの温度上昇分と等しい、ことを特徴とする請求項４に記載の液晶表示装置。
【請求項６】
前記第一の温度は、前記第二の温度より高い、ことを特徴とする請求項４又は５に記載の液晶表示装置。
【請求項７】
前記画像非表示期間では、前記画像表示期間で前記液晶セルに印加する電圧とは逆極性の電圧を前記液晶セルに印加する、ことを特徴とする請求項１〜６の何れか一つに記載の液晶表示装置。
【請求項８】
前記画像表示期間は、赤、緑、青の画像に対応する３つの画像表示期間を含み、前記画像非表示期間は、当該３つの画像表示期間に対応する３つの画像非表示期間を含む、ことを特徴とする請求項１〜７の何れか一つに記載の液晶表示装置。
【発明の詳細な説明】
【技術分野】
【０００１】
本発明はフィールドシーケンシャル方式で画像を表示する液晶表示装置に関するものである。
【背景技術】
【０００２】
従来、液晶セルを光シャッターとして用い、液晶セルに発光素子から光を供給してフィールドシーケンシャル方式により画像を表示する方法が知られている。
【０００３】
この方法は、液晶セルの表示画素にカラーフィルターのようなＲ（赤）、Ｇ（緑）、Ｂ（青）の各色のセグメントを分散して設けることでカラー表示を行うものとは異なり、各色の光を発する光源を設け、短時間に各色の照明を順次切り替えて行うことによってカラー表示を行うものである。
【０００４】
この方法では、液晶セルにはモノクロ表示に用いる液晶セルと同じ構成のものが用いられ、発光素子が、例えばＲ（赤）、Ｇ（緑）、Ｂ（青）の３原色の光を発し、ある一定時間ＴＳの間、液晶セルに順次これらの光を照射する。例えば、Ｒ（赤）、Ｇ（緑）、Ｂ（青）の順に、それぞれの色の光を時間ＴＳずつ液晶セルに照射し、これら３原色の光の照射を同様に繰り返す。液晶セルは、この時間ＴＳに同期して各表示画素の光透過率を変化させる。すなわち、表示する色の情報に応じて、Ｒ、Ｇ、Ｂの各光の透過率を液晶セルを駆動して制御し、液晶セルを透過する各光の割合を変化させる。ここで、時間ＴＳを非常に短くすることにより、それぞれの色はひとつずつの色とは認識されず、それぞれの色の混色として人間の目には認識される。また、時間ＴＳの期間の中で液晶セルのオンとオフの時間を制御して透過光量を変化させることで、階調表示が行われる。
【０００５】
尚、この方法では、時間ＴＳを非常に短くする必要があり、それに応じて液晶セルの透過率を高速で変化させる必要があることから、この方法には、ネマチック液晶に比べてスイッチングスピードの速い強誘電性液晶が適している。
【０００６】
図２は、フィールドシーケンシャル方式により画像表示が行われている状態を示すタイミングチャートである。この駆動方式では、画像表示を行うアクティブ（Ａｃｔｉｖｅ）期間と、画像表示は行わずに表示画像の焼きつきを防ぐためにアクティブ期間とは逆波形（逆極性）の電圧を印加するパッシブ（Ｐａｓｓｉｖｅ）期間とが連続的に設けられており、カラー表示を行う場合には、そのようなアクティブ期間とパッシブ期間とのペアがＲＧＢの各色に対応させて連続的に３つ設けられ、それら３つの期間で１つのカラー画像が表示される。また、アクティブ期間において液晶セルのオン時間を変化させて液晶セルを透過する光の量（透過光量）を調整することで、黒表示（階調０表示）、グレー表示（階調１２７表示）、白表示（階調２５５表示）等の階調表示が行われる。尚、図２では、透過光量を斜線部の面積で概念的に表している。
【０００７】
図３は、フィールドシーケンシャル方式によりカラー画像表示が行われている状態を示す従来技術におけるタイミングチャートである。フィールドシーケンシャル方式により１つのカラー画像を表示する際には、例えば、各色の光源の点灯と消灯を、Ｒ（赤）の点灯、Ｒ（赤）の消灯、Ｇ（緑）の点灯、Ｇ（緑）の消灯、Ｂ（青）の点灯、Ｂ（青）の消灯、の順番で推移させ、それらに同期してアクティブ期間とパッシブ期間を交互に推移させていく。尚、図３では、Ｒ（赤）のアクティブ期間とパッシブ期間をそれぞれＲとｒ、Ｇ（緑）のアクティブ期間とパッシブ期間をそれぞれＧとｇ、Ｂ（青）のアクティブ期間とパッシブ期間をそれぞれＢとｂで表し、それら６つの期間を１フレーム期間として表している。
【０００８】
しかし、このように各色のアクティブ期間とパッシブ期間を交互に推移させる駆動方式では、各色の点灯期間（アクティブ期間）と点灯期間（アクティブ期間）との間に消灯期間（パッシブ期間）が設けられているため、各色の点灯期間の連続性が失われることによって、色割れ（カラーブレイク）という問題が生じる。この問題は、表示フィールド周波数を上げ、各色の消灯期間（パッシブ期間）を短くすることで解決することが可能であるが、表示フィールド周波数を上げることで、消費電力増大等の他の問題が生じる。
【０００９】
そこで、上述の問題を解決する駆動方法として、以下のものが知られている。図４は、フィールドシーケンシャル方式によりカラー画像表示が行われている状態を示す他の従来技術におけるタイミングチャートである。図４に示すように、この駆動方法では、ＲＧＢ３色のアクティブ期間を連続的に設け、その次にＲＧＢ３色のパッシブ期間を連続的に設けることで、１フレームのカラー画像を表示する。
【００１０】
この駆動方法によれば、ＲＧＢの各アクティブ期間が連続するため、表示フィールド周波数を上げることなく、色割れ現象を抑えることができる。（例えば、特許文献１参照）
【先行技術文献】
【特許文献】
【００１１】
【特許文献１】特許第３６６７１７５号
【発明の概要】
【発明が解決しようとする課題】
【００１２】
図５−１は、図４に示す従来の駆動方法を用いた場合における高温での階調０表示状態を示すタイミングチャート、図５−２は、図４に示す従来の駆動方法を用いた場合における低温での階調０表示状態を示すタイミングチャートである。液晶セルにおいては、液晶分子のスイッチングが瞬時に行われ、オン状態とオフ状態が瞬時に切り替わるのが理想的ではあるが、実際には、液晶分子に印加される電圧が瞬時に切り替わっても、液晶分子の特性上、液晶分子が完全にスイッチングするまでには所定の時間を要し、低温であるほどスイッチングに要する時間は長くなる。
【００１３】
特許文献１に記載の従来技術では、ＲＧＢ３色のアクティブ期間を連続的に設けることで、色割れ現象を抑えることができるが、低温では、液晶のスイッチングスピードが遅れることにより、適正な混色状態が得られず、本来の色を再現することができないという問題が生じる。
【００１４】
例えば、ＲＧＢ３色全てのアクティブ期間で液晶セルをオフ状態にして黒表示を行う場合を考えたときに、連続的に設けられているＲＧＢ３色のアクティブ期間のうち１番目の色のアクティブ期間（Ｒ）では、液晶はその直前の色のパッシブ期間（ｂ）におけるオン状態からオフ状態へスイッチングすることから、液晶が完全にオフ状態になるまでの間は光が僅かに漏れる（透過する）のに対し、２番目と３番目の色のアクティブ期間（Ｇ、Ｂ）では、液晶はそれぞれ直前のアクティブ期間（Ｒ、Ｇ）においてもともと完全なオフ状態にあるため、光が透過することはなく、結果的に１番目の色の光のみが僅かに漏れることとなり、その分、各色のバランスが損なわれて、本来の色を再現することができなくなる。液晶が高温（例えば常温以上）の状態であれば、スイッチングスピードが比較的速いため、１番目の色のアクティブ期間における漏れ光量は、図５−１中の斜線部の面積で表されるように比較的少ないが、液晶が低温状態の場合には、スイッチングスピードが遅くなるため、その分、１番目の色のアクティブ期間における漏れ光量は、図５−２中の斜線部の面積で表されるように増大し、それに伴って、色の再現性が低下する。
【００１５】
ここでは、図４に示す従来の駆動方法における、液晶の温度変化に起因する問題点について説明したが、それに限らず、その他種々の要因（例えば、周囲の明るさ、湿度、圧力等の環境変化）により、何らかの特有画像品質上の問題が発生する可能性がある。
【００１６】
本発明は、以上のような問題に鑑みたもので、常に高品位な画像表示を行うことが可能な液晶表示装置を提供することを目的とする。
【課題を解決するための手段】
【００１７】
液晶セルと、当該液晶セルに光を供給する光源と、を備え、前記液晶セルの光変調動作と前記光源の発光を互いに同期させたフィールドシーケンシャル方式により画像を表示する液晶表示装置であって、１フレーム期間内に、画像を表示する複数の画像表示期間と、画像を表示しない複数の画像非表示期間とが、互いに交互となるように設けられた第一の駆動方式により画像を表示する第一の駆動モードと、１フレーム期間内に、画像を表示する複数の画像表示期間が互いに連続して設けられると共に、画像を表示しない複数の画像非表示期間が互いに連続して設けられた第二の駆動方式により画像を表示する第二の駆動モードと、を備え前記第一の駆動モードと前記第二の駆動モードが互いに切り替え可能とされている、液晶表示装置とする。
【００１８】
前記液晶セルの温度を検出する温度検出手段を備え、当該温度検出手段が検出した前記液晶セルの温度に基づいて、前記第一の駆動モードと前記第二の駆動モードが互いに切り替わる、液晶表示装置とすることができる。
【００１９】
前記液晶セルの温度が所定の温度よりも低い場合には、前記第一の駆動モードで動作し、前記液晶セルの温度が前記所定の温度以上の場合には、前記第二の駆動モードで動作する、液晶表示装置とすることができる。
【００２０】
前記第一の駆動モードが前記第二の駆動モードへ切り替わる第一の温度と、前記第二の駆動モードが前記第一の駆動モードへ切り替わる第二の温度は、互いに異なる、液晶表示装置とすることができる。
【００２１】
前記第一の温度と前記第二の温度との差は、前記液晶セルの自己発熱による前記液晶セルの温度上昇分と等しい、液晶表示装置とすることができる。
【００２２】
前記第一の温度は、前記第二の温度より高い、ことを特徴とする請求項４又は５に記載の液晶表示装置。
【００２３】
前記画像非表示期間では、前記画像表示期間で前記液晶セルに対して印加する電圧とは逆極性の電圧を、前記液晶セルに対して印加する、液晶表示装置とすることができる。
【００２４】
前記画像表示期間は、赤、緑、青の画像に対応する３つの画像表示期間を含み、前記画像非表示期間は、当該３つの画像表示期間に対応する３つの画像非表示期間を含む、液晶表示装置とすることができる。
【発明の効果】
【００２５】
本発明によると、２種類の駆動方式を互いに切り替えることができるため、温度等の周囲の環境が変化した場合であっても、高品位な画像表示を行うことができる。例えば、常温以上では、ＲＧＢ各色のアクティブ期間（画像表示期間）を連続的に設け、その次にＲＧＢ各色のパッシブ期間（画像非表示期間）を連続的に設けた駆動方式（第二の駆動方式）に切り替えることで、表示フィールド周波数を上げることなく色割れを抑えたカラー画像表示を行うことができ、一方、常温よりも低温では、ＲＧＢ各色のアクティブ期間（画像表示期間）とパッシブ期間（画像非表示期間）をそれぞれ交互に設けた駆動方式（第一の駆動方式）に切り替えることで、第一の駆動方式では顕著に生じる色の再現性低下を抑えることができる。
【図面の簡単な説明】
【００２６】
【図１】本発明の構成を概念的に示すタイミングチャート
【図２】フィールドシーケンシャル方式を用いて画像表示が行われている状態を示すタイミングチャート
【図３】フィールドシーケンシャル方式を用いて１つのカラー画像表示が行われている状態を示す従来技術におけるタイミングチャート
【図４】フィールドシーケンシャル方式を用いて１つのカラー画像表示が行われている状態を示す他の従来技術におけるタイミングチャート
【図５−１】図４に示す従来の駆動方法を用いた場合における高温での階調０表示状態を示すタイミングチャート
【図５−２】図４に示す従来の駆動方法を用いた場合における低温での階調０表示状態を示すタイミングチャート
【発明を実施するための形態】
【００２７】
本発明による液晶表示装置の一実施形態は、反射型液晶表示装置として構成される。反射型液晶表示装置は、光学的要素として、反射型の液晶セルと、液晶セルに光を供給するための光源と、光源より発せられた光のうち特定の方向の偏波面を有する光のみを透過させる第一の偏光フィルタと、第一の偏光フィルタを透過した光を液晶セルに向けて反射すると共に、液晶セルに向けて反射された光のうち液晶セルの光変調により偏波面の方向が他の方向へ変換された光のみを透過させる第二の偏光フィルタとを備え、電気的要素として、ＲＧＢ各色のアクティブ期間とパッシブ期間の順番を自由に入れ替える期間調整回路と、ＲＧＢ各色のアクティブ期間とパッシブ期間の順番の組み合わせを記憶する記憶手段と、液晶セルの温度を検知する温度センサーと、それらの電気的要素や液晶セル、光源等の光学的要素の駆動を統括的に制御する駆動制御回路とを備えている。
【００２８】
第一の偏光フィルタは、例えば、吸収型偏光板又は反射型偏光板で構成され、第二の偏光フィルタは、例えば、反射型偏光板で構成される。
【００２９】
光源は、例えば、ＲＧＢ各色の光を個別に発するＬＥＤで構成される。
【００３０】
液晶セルは、例えば、強誘電性液晶を用いた強誘電性液晶セルで構成される。
【００３１】
温度センサーは、液晶セルに密着又は近接して配置され、液晶セルの温度を検知して、その結果を電気信号として制御回路へ出力する。尚、温度センサーは、液晶セルから離れた位置に配置されていても良く、また、液晶層に接触又は近接するように液晶セルの内部に組み込まれていても良い。
【００３２】
記憶手段は、例えば、ＲＯＭやＲＡＭ等の記憶装置で構成され、ＲＧＢ各色のアクティブ期間とパッシブ期間の順番の組み合わせが、少なくとも２種類以上記憶されている。
【００３３】
本実施形態では、駆動制御回路がフィールドシーケンシャル方式により光源の点灯と消灯に同期させて液晶のスイッチング動作を制御することで液晶セルから光画像信号が出力され、その光画像信号が第二の偏光フィルタを通して画像として出力されて観察者に視認される。また、駆動制御回路がＲＧＢの各アクティブ期間において液晶セルに対する駆動電圧のオンとオフの時間を制御することで階調表示が行われる。
【００３４】
更に、本実施形態では、ＲＧＢ各色のアクティブ期間とパッシブ期間の順番を入れ替える期間調整回路の機能を利用して、以下のような駆動が行われる。
【００３５】
例えば、温度センサーにより検知された温度が常温より低い場合には、図１中上側のタイミングチャートに示されるような、１フレーム期間内にＲＧＢ各色のアクティブ期間とパッシブ期間がそれぞれ交互に設けられたフィールドシーケンシャル駆動方式（第一の駆動方式）を用いた第一の駆動モードにより画像を表示し、一方、温度センサーにより検知された温度が常温以上の場合には、図１中下側のタイミングチャートに示されるような、１フレーム期間内にＲＧＢ各色のアクティブ期間が連続的に設けられ、その次にＲＧＢ各色のパッシブ期間が連続的に設けられたフィールドシーケンシャル駆動方式（第二の駆動方式）を用いた第二の駆動モードにより画像を表示する。
【００３６】
尚、上述の動作の中で駆動制御回路は、温度センサーの出力に応じて第一の駆動方式と第二の駆動方式の何れかを記憶手段から読み出し、読み出した駆動方式に基づいて期間調整回路によりアクティブ期間とパッシブ期間の順番を入れ替える。
【００３７】
液晶の温度が常温以上の場合は、液晶のスイッチングスピードが速く、第二の駆動方式を使用しても１番目の色のアクティブ期間における漏れ光量は比較的少ないため、色の再現性が大きく悪化するということはなく、その一方では、表示フィールド周波数を上げることなく色割れを低減することができるという効果を得ることができる。しかし、液晶の温度が常温より低い場合は、液晶のスイッチングスピードが遅くなることにより、１番目の色のアクティブ期間における漏れ光量が増加するため、色の再現性が大きく低下するという問題が生じる。
【００３８】
そこで、液晶の温度が常温よりも低い場合には、駆動方式を第二の駆動方式から第一の駆動方式へ切り替えることで、色の再現性の低下を抑えることとしている。即ち、第一の駆動方式では、ＲＧＢ各色のアクティブ期間において漏れ光量が発生するが、それらは互いに同じ量であるため、各色のバランスは損なわれず、色の再現性が低下することはない。尚、駆動方式を第二の駆動方式から第一の駆動方式へ切り替えると、第二の駆動方式による色割れを抑制する効果は得られなくなるが、一般的に色割れの問題は、色の再現性の低下の問題よりも重視されない傾向があるため、実用上は特に問題とならない。
【００３９】
また、液晶の温度が比較的高く、液晶分子のスイッチングスピードがある程度以上の速さであれば、アクティブ期間における漏れ光量は駆動方式に関わらず少量であり、第一の駆動方式を用いた場合の表示画質と、第二の駆動方式を用いた場合の表示画質とでは、色割れの程度には差があるものの、同じ色の画像を同じ時間表示していることから、色度や輝度、コントラスト等の光学特性に大きな差は無く、画像表示中に駆動方式が切り替わっても、目立つことはない。
【００４０】
しかし、液晶の温度が低くなり、液晶分子のスイッチングスピードがある程度まで遅くなった場合には、アクティブ期間における漏れ光量が増加し、第一の駆動方式を用いた場合の表示画質と、第二の駆動方式を用いた場合の表示画質とでは、色度や輝度、コントラスト等の光学特性に大きな差が生じるため、画像表示中に駆動方式が切り替わると、目立ち易くなる。
【００４１】
したがって、第一の駆動方式と第二の駆動方式を切り替える温度は、それぞれの駆動方式を用いた場合における表示画像の色度、輝度、コントラスト等の光学特性が互いに同等の温度であって、且つ、最も低い温度に設定するのが望ましい。但し、駆動方式を切り替える温度は、これに限定はされない。
【００４２】
また、以上の実施形態では、第一の駆動方式を第二の駆動方式へ切り替える温度（第一の温度）と、第二の駆動方式を第一の駆動方式へ切り替える温度（第二の温度）を、互いに同じ温度に設定しているが、それらの温度を互いに異なる温度に設定すること、つまり、第一の温度と第二の温度にヒステリシスを持たせることも可能である。
【００４３】
第一の温度と第二の温度が同じ場合には、液晶の温度がその温度周辺で頻繁に変動するような状況において、第一の駆動方式と第二の駆動方式が頻繁に切り替わり、画像品質に悪影響を及ぼす可能性があるが、第一の温度と第二の温度にヒステリシスを持たせておけば、その影響を低減することができる。第一の温度と第二の温度は、例えば、それぞれ１０℃、５℃であるが、これに限定はされない。
【００４４】
また、液晶表示装置では、回路等の自己発熱によって液晶セルの温度が上昇するが、この場合、第一の温度と第二の温度の差（ヒステリシスの幅）は、自己発熱による液晶セルの温度上昇分（例えば、５℃）と等しくなるように設定するのが望ましい。
【００４５】
この点に関し、例えば、液晶表示装置を、第一の温度よりもやや低い温度環境下にて動作させるのを想定した場合、仮にヒステリシスの幅が自己発熱による液晶セルの温度上昇分よりも小さいと、液晶表示装置が動作状態になった時には、自己発熱による温度上昇分だけで液晶セルの温度が第二の温度を上回って、駆動方式が第一の駆動方式から第二の駆動方式へと切り替わり、逆にその状態から液晶表示装置が非動作状態になった時には、自己発熱による温度上昇分だけ液晶セルの温度が下がって元の温度に戻り、その際に液晶セルの温度が第一の温度を下回ることで駆動方式が第二の駆動方式から第一の駆動方式へと再度切り替わることになる。つまり、液晶表示装置を動作させるたびに、第一の駆動方式と第二の駆動方式が必ず切り替わることになり、動作の安定性が損なわれたり、消費電力が増大する等の問題が生じる。この問題は、ヒステリシスの幅を大きくすることで解決することが可能であるが、ヒステリシスの幅が大きくなると、その分、駆動方式が双方向へ切り替わり難くなるため、ヒステリシスの幅を必要以上に大きくすることは、駆動方式を切り替えることの本来の利点を失うことになる。以上の点に鑑み、ヒステリシスの幅を、自己発熱による液晶セルの温度上昇分と等しくなるように設定しておけば、第一の駆動方式と第二の駆動方式が頻繁に切り替わる事態を最小限に抑えつつ、駆動方式を切り替えることの利点を最大限に活かすことができる。ただし、第一の温度と第二の温度にヒステリシスを持たせるかどうかや、ヒステリシスを持たせた場合のヒステリシスの幅は、任意に選択が可能である。
【００４６】
尚、以上の実施形態では、ＲＧＢ３色の光を用いて１つの画像を表示しているが、例えば、ＲＧＢとＷ（白）の組み合わせ（ＲＧＢ＋Ｗ）、ＲＧＢとＲＧＢのうち何れか１つの組み合わせ（ＲＧＢ＋Ｒ、Ｇ、又はＢ）、ＲＧＢのうち何れか２つの組み合わせ（ＲＧ、ＧＢ、又はＢＲ）等のその他の組み合わせで１つの画像を表示するようにしても良い。
【００４７】
また、画像の表示を行わないパッシブ期間は、画像の焼きつきを防止するための駆動をする期間に限らず、例えば、電圧を全く印加しない単なる空白の期間としても良い。
【００４８】
また、周囲の温度変化に基づいて第一の駆動方式と第二の駆動方式を切り替えるのではなく、例えば、周囲の明るさ、湿度、圧力等のその他の環境変化に基づいて駆動方式を切り替えるようにしても良い。
【００４９】
また、液晶セルは、強誘電性液晶を用いた強誘電性液晶セルに限らず、ネマチック液晶等のその他の液晶を用いた液晶セルであっても良い。
【００５０】
また、液晶表示装置は、反射型の液晶セルを用いた反射型液晶表示装置に限らず、透過型の液晶セルを用いた透過型液晶表示装置であっても良い。
【符号の説明】
【００５１】
ＴＳ：  光の照射期間
Ａｃｔｉｖｅ：  アクティブ期間（画像表示期間）
Ｐａｓｓｉｖｅ：  パッシブ期間（画像非表示期間）
Ｒ：  赤色の画像表示期間
Ｇ：  緑色の画像表示期間
Ｂ：  青色の画像表示期間
ｒ：  赤色の画像表示期間に対応する焼きつき防止期間
ｇ：  緑色の画像表示期間に対応する焼きつき防止期間
ｂ：  青色の画像表示期間に対応する焼きつき防止期間
【図１】
2015025927.tif 000003
【図２】
2015025927.tif 000004
【図３】
2015025927.tif 000005
【図４】
2015025927.tif 000006
【図５−１】
2015025927.tif 000007
【図５−２】
2015025927.tif 000008